(57)【特許請求の範囲】
【請求項１】
光学素子を通過した光学像を画像情報に変換して出力する撮像手段と、
前記光学素子の移動に基づく光学像の歪みに関連する光学特性情報に従って、当該光学素子が特定の位置にある場合に前記撮像手段から出力される画像情報を補正するか、又は、前記撮像手段から出力される画像情報を所定の割合で拡大処理するかの少なくとも一方を行うよう制御する制御手段と、
前記制御手段により処理が施された画像情報、または、当該光学素子が特定の位置にない場合に前記撮像手段から出力され前記制御手段によって制御されていない画像情報を処理済み画像として出力する出力手段と、
を備えたことを特徴とする撮像装置。
【請求項２】
前記制御手段による制御内容と、前記光学特性情報とを対応付けて記憶する記憶手段を更に備え、
前記制御手段は、前記光学特性情報に基づいて、前記光学素子が特定の位置にある場合の補正内容又は拡大処理の割合の少なくとも一方を前記記憶手段から読み出すことを特徴とする請求項１に記載の撮像装置。
【請求項３】
前記光学素子は、光学ズーム機構を構成するズーム調整用レンズを含み、
前記特定の位置とは、前記ズーム調整用レンズのレンズ位置が広角端に対応する位置であることを特徴とする請求項２に記載の撮像装置。
【請求項４】
前記制御手段による補正内容又は拡大処理の比率の少なくとも一方を前記ズーム調整用レンズのレンズ位置に応じて可変することを特徴とする請求項３に記載の撮像装置。
【請求項５】
請求項２〜４の何れか一項に記載の撮像装置が撮像する画像の画質を調整する画質調整システムであって、
前記光学特性情報は、前記光学素子と対応付けられた情報記録媒体に記録された記録情報で表され、
前記情報記録媒体から前記記録情報を読み取るための読取手段と、
この読取手段により読み取られた記録情報に基づいて、前記記憶手段から読み出すべき前記補正内容又は前記拡大処理の割合の少なくとも一方を前記撮像装置に設定する設定手段と、
を備えることを特徴とする画質調整システム。
【請求項６】
光学素子を通過した光学像を画像情報に変換して出力する撮像手段を備える撮像装置を用いた撮像方法であって、
前記光学素子の移動に基づく光学像の歪みに関連する光学特性情報に従って、当該光学素子が特定の位置にある場合に前記撮像手段から出力される画像情報を補正する処理、及び、前記光学特性情報に従って、前記光学素子が特定の位置にある場合に前記撮像手段から出力される画像情報を所定の割合で拡大する処理のうち、少なくとも何れか一方の処理を行うステップと、
画像情報を補正する処理及び画像情報を拡大する処理のうち、少なくとも何れか一方が施された画像情報、または、当該光学素子が特定の位置にない場合に前記撮像手段から出力され前記補正する処理及び所定の割合で拡大する処理が施されていない画像情報を処理済み画像として出力するステップと、
を実行することを特徴とする撮像方法。
【請求項７】
光学素子を通過した光学像を画像情報に変換して出力する撮像手段を備える撮像装置のコンピュータを、
前記光学素子の移動に基づく光学像の歪みに関連する光学特性情報に従って、当該光学素子が特定の位置にある場合に前記撮像手段から出力される画像情報を補正する補正手段、
前記光学特性情報に従って、前記光学素子が特定の位置にある場合に前記撮像手段から出力される画像情報を所定の割合で拡大処理する拡大処理手段、
前記補正手段による補正及び前記拡大処理手段による拡大処理のうち、少なくとも何れか一方が施された画像情報、または、当該光学素子が特定の位置にない場合に前記撮像手段から出力され前記補正手段及び前記拡大処理手段によって処理されていない画像情報を処理済み画像として出力する出力制御手段、
として機能させることを特徴とするプログラム。
【発明の詳細な説明】
【技術分野】
【０００１】
本発明は、被写体の光学像をレンズにより結像する撮像装置、画質調整システム、撮像方法及びプログラムに関する。
【背景技術】
【０００２】
近年、デジタルカメラにおいては、撮像された画像を補正することにより、レンズに固有に生じる光学像の歪みを解消する技術が用いられている（例えば、特許文献１参照）。
例えば、この特許文献１にあっては、ズームレンズの各ズーム段で生じる歪みを補正するために、複数のズーム段の各々と歪みを補正するための補正パラメータの各々とをそれぞれ対応付けている。
【先行技術文献】
【特許文献】
【０００３】
【特許文献１】特開２００８−２９５０９７号公報
【発明の概要】
【発明が解決しようとする課題】
【０００４】
しかしながら、上記特許文献１に記載される技術の場合、ズーム段によっては微々たる効果しか得られないとしても複数のズーム段の全てで補正処理を行うので、画像処理にかかる負担が増大してしまうという問題がある。
【０００５】
そこで、本願発明は、上記問題点に鑑みてなされたものであり、画像補正にかかる処理負担を軽減することができる撮像装置、画質調整システム、撮像方法及びプログラムを提供することを目的とする。
【課題を解決するための手段】
【０００６】
上記課題を解決するため、請求項１に記載の発明は、光学素子を通過した光学像を画像情報に変換して出力する撮像手段と、前記光学素子の移動に基づく光学像の歪みに関連する光学特性情報に従って、当該光学素子が特定の位置にある場合に前記撮像手段から出力される画像情報を補正するか、又は、前記撮像手段から出力される画像情報を所定の割合で拡大処理するかの少なくとも一方を行うよう制御する制御手段と、前記制御手段により処理が施された画像情報、または、当該光学素子が特定の位置にない場合に前記撮像手段から出力され前記制御手段によって制御されていない画像情報を処理済み画像として出力する出力手段と、を備えたことを特徴としている。
【０００７】
請求項２に記載の発明は、請求項１に記載の発明において、前記制御手段による制御内容と、前記光学特性情報とを対応付けて記憶する記憶手段を更に備え、前記制御手段は、前記光学特性情報に基づいて、前記光学素子が特定の位置にある場合の補正内容又は拡大処理の割合の少なくとも一方を前記記憶手段から読み出すことを特徴としている。
【０００８】
請求項３に記載の発明は、請求項２に記載の撮像装置において、前記光学素子は、光学ズーム機構を構成するズーム調整用レンズを含み、前記特定の位置とは、前記ズーム調整用レンズのレンズ位置が広角端に対応する位置であることを特徴としている。
【０００９】
請求項４に記載の発明は、請求項３に記載の発明において、前記制御手段による補正内容又は拡大処理の比率の少なくとも一方を前記ズーム調整用レンズのレンズ位置に応じて可変することを特徴としている。
【００１０】
請求項５に記載の発明は、請求項２〜４の何れか一項に記載の撮像装置が撮像する画像の画質を調整する画質調整システムであって、前記光学特性情報は、前記光学素子と対応付けられた情報記録媒体に記録された記録情報で表され、前記情報記録媒体から前記記録情報を読み取るための読取手段と、この読取手段により読み取られた記録情報に基づいて、前記記憶手段から読み出すべき前記補正内容及び前記拡大処理の割合を前記撮像装置に設定する設定手段と、を備えることを特徴としている。
【００１１】
請求項６に記載の発明の撮像方法は、光学素子を通過した光学像を画像情報に変換して出力する撮像手段を備える撮像装置を用いた撮像方法であって、前記光学素子の移動に基づく光学像の歪みに関連する光学特性情報に従って、当該光学素子が特定の位置にある場合に前記撮像手段から出力される画像情報を補正する処理、及び、前記光学特性情報に従って、前記光学素子が特定の位置にある場合に前記撮像手段から出力される画像情報を所定の割合で拡大する処理のうち、少なくとも何れか一方の処理を行うステップと、画像情報を補正する処理及び画像情報を拡大する処理のうち、少なくとも何れか一方が施された画像情報、または、当該光学素子が特定の位置にない場合に前記撮像手段から出力され前記補正する処理及び所定の割合で拡大する処理が施されていない画像情報を処理済み画像として出力するステップと、を実行することを特徴としている。
【００１２】
請求項７に記載の発明のプログラムは、光学素子を通過した光学像を画像情報に変換して出力する撮像手段を備える撮像装置のコンピュータを、前記光学素子の移動に基づく光学像の歪みに関連する光学特性情報に従って、当該光学素子が特定の位置にある場合に前記撮像手段から出力される画像情報を補正する補正手段、前記光学特性情報に従って、前記光学素子が特定の位置にある場合に前記撮像手段から出力される画像情報を所定の割合で拡大処理する拡大処理手段、前記補正手段による補正及び前記拡大処理手段による拡大処理のうち、少なくとも何れか一方が施された画像情報、または、当該光学素子が特定の位置にない場合に前記撮像手段から出力され前記補正手段及び前記拡大処理手段によって処理されていない画像情報を処理済み画像として出力する出力制御手段、として機能させることを特徴としている。
【発明の効果】
【００１３】
本発明によれば、画像補正にかかる処理負担を軽減することができる。
【図面の簡単な説明】
【００１４】
【図１】本発明を適用した一実施形態の撮像装置の概略構成を示すブロック図である。
【図２】図１の撮像装置のメモリのメモリマップを模式的に示す図である。
【図３】ズームレンズにおける広角端の焦点距離の公称値に対する個体バラツキの分布を模式的に示す図である。
【図４】図１の撮像装置のＲＯＭのメモリマップを模式的に示す図である。
【図５】図１の撮像装置に係る歪曲補正用データと拡大用データの一例を模式的に示す図である。
【図６】図１の撮像装置によるメモリ書き込み処理に係る動作の一例を示すフローチャートである。
【図７】図１の撮像装置による画質調整処理に係る動作の一例を示すフローチャートである。
【図８】図７の画質調整処理に係る画像の一例を模式的に示す図である。
【図９】本発明を適用した一実施形態の画質調整システムの概略構成を示すブロック図である。
【発明を実施するための形態】
【００１５】
以下に、本発明について、図面を用いて具体的な態様を説明する。ただし、発明の範囲は、図示例に限定されない。
図１は、本発明を適用した一実施形態の撮像装置１００の概略構成を示すブロック図である。
【００１６】
本実施形態の撮像装置１００は、ズームレンズ部１の光学像の歪みに関連するレンズタイプに従って、ズーム調整用レンズ１ａが広角端に対応する位置にある場合に電子撮像部２から出力される画像情報を補正する処理、及び、ズーム調整用レンズ１ａが広角端に対応する位置にある場合に電子撮像部２から出力される画像情報を所定の割合で拡大する処理のうち、少なくとも何れか一方の処理を行って、処理済み画像を出力する。
具体的には、図１に示すように、撮像装置１００は、ズームレンズ部１と、電子撮像部２と、ＣＤＳ／ＡＤＣ部３と、メモリ４と、ＲＯＭ５と、画像処理部６と、表示制御部７と、表示部８と、画像記録部９と、操作入力部１０と、ＣＰＵ１１とを備えている。
【００１７】
ズームレンズ部１は、複数の光学レンズを有して構成された光学ズーム機構を具備しており、複数の光学レンズのうち、ズーム調整用レンズ（光学素子）１ａの光軸方向の位置を調整することで焦点距離を可変させる。
具体的には、例えば、ユーザによる操作入力部１０のズームボタンの所定操作に基づいてＣＰＵ１１によって光学ズーム倍率が指定されると、レンズ駆動部（例えば、モータ等、カム等）１ｂは、ＣＰＵ１１から出力され入力された光学ズーム倍率の指定指示に従って、ズーム調整用レンズ１ａを光軸方向に移動させて当該ズーム調整用レンズ１ａの光軸方向の位置を調整する。
なお、レンズ駆動部１ｂは、複数の光学レンズのうち、フォーカス調整用レンズ（図示略）の光軸方向の位置を調整するための駆動源や動力伝達機構として機能しても良い。
【００１８】
電子撮像部２は、例えば、図示は省略するが、ＣＣＤ（Charge Coupled Device）やＣＭＯＳ（Complementary Metal-oxide Semiconductor）等のイメージセンサ等から構成されている。そして、電子撮像部２は、ズームレンズ部１の各種光学レンズや絞り（図示略）を通過した光学像を二次元の画像信号（ＲＧＢ画像データ）に変換して、ＣＤＳ／ＡＤＣ部３に出力する。
【００１９】
このように、ズームレンズ部１及び電子撮像部２は、ズーム調整用レンズ１ａを通過した光学像を画像情報に変換して出力する撮像手段を構成している。
【００２０】
ＣＤＳ／ＡＤＣ部３は、電子撮像部２から出力された被写体の光学像に応じたＲＧＢ色成分よりなる画像信号が入力され、必要に応じて、ＹＵＶ色空間に対応する画像データ（ＹＵＶ画像データ）やＨＳＶ色空間に対応する画像データ（ＨＳＶ画像データ）に変換してＣＰＵ１１に出力する。
また、ＣＤＳ／ＡＤＣ部３は、入力された画像のＲＧＢ成分のゲイン量を調整して、当該画像のホワイトバランス調整を行っても良い。
【００２１】
メモリ４は、ＲＡＭ４ａと、フラッシュメモリ４ｂとを具備している。
【００２２】
フラッシュメモリ４ｂは、不揮発性のメモリであり、当該撮像装置１００に組み付けられたズームレンズ部１のレンズタイプ（光学特性；後述）を記憶する（図２参照）。
具体的には、当該撮像装置１００の製造の際に、装置本体に対するズームレンズ部１の組み付け後に所定の測定装置（図示略）を用いて広角端の実際の焦点距離に係る設計値（後述）を測定し、フラッシュメモリ４ｂは、複数のレンズタイプの中で当該設計値に基づいて特定されたズームレンズ部１の光学特性に関する情報（レンズタイプ）を、メモリマップの所定のレンズタイプ記憶領域に書き込む。
【００２３】
次に、ズームレンズ部１の光学特性に応じて区分されたレンズタイプの一例について図４を参照して説明する。
図３に示すように、広角端の焦点距離に対する許容範囲を例えば焦点距離の公称値（レンズメーカーが公表する値）±５％以内とした場合に、当該許容範囲以内のズームレンズ部１のタイプをレンズタイプ「０」とする。また、許容範囲外で、且つ、誤差範囲内（例えば、焦点距離の設計値＋５％以内）のズームレンズ部１を光学特性に応じて所定数（例えば、３つ）の区分に分ける。そして、設計値が許容範囲に近い順に、ズームレンズ部１のタイプをレンズタイプ「１」、「２」、「３」とする。
ここで、設計値とは、レンズ製造メーカーから納品された光学レンズを撮像装置１００に組み付けた状態で発揮される光学性能に関する情報である。
【００２４】
なお、レンズタイプ「０」〜「３」の区分は、一例であってこれらに限られるものではなく、区分の数は適宜任意に変更可能である。また、レンズタイプの各区分は、歪曲補正用パラメータと拡大用パラメータとのずれを考慮して決定しても良く、例えば、レンズタイプ「０」の中で、歪曲補正用パラメータと拡大用パラメータとのずれに応じてより細分化された区分を設定しても良い。さらに、各区分の大きさは、例えば、ほぼ均等であっても良いし、許容範囲に近いか否かに応じてそれぞれの大きさを変更しても良い。
【００２５】
このように、レンズタイプ「０」〜「３」は、ズームレンズ部１に備わるズーム調整用レンズ１ａの光軸方向の移動に基づく光学像の歪みに係る光学特性に応じて区分されている。即ち、レンズタイプは、ズーム調整用レンズ１ａの移動に基づく光学像の歪みに関連する光学特性情報と対応付けられている。
【００２６】
ＲＡＭ４ａは、例えば、ＤＲＡＭ等により構成され、画像処理部６やＣＰＵ１１等によって処理されるデータ等を一時的に記憶する。
また、ＲＡＭ４ａは、フラッシュメモリ４ｂから読み出され、当該撮像装置１００に組み付けられたレンズのレンズタイプを記憶する（図２参照）。具体的には、当該撮像装置１００の電源投入時に、フラッシュメモリ４ｂに記憶されているレンズタイプに関する情報を読み出して、当該レンズタイプが正常なレンズタイプ、即ち、画像の歪曲補正や拡大処理にて対応可能な光学性能を具備するタイプ（例えば、レンズタイプ「０」〜「３」等）のレンズである場合に、読み出されたレンズタイプに関する情報を、メモリマップの所定のレンズタイプ記憶領域に書き込む。
【００２７】
ＲＯＭ５は、撮像装置１００用の各種処理プログラムや各種データを記憶する。具体的には、ＲＯＭ５は、画像処理部６による画質調整処理にて用いられる歪曲補正用データｄ１や拡大用データｄ２を記憶する。
【００２８】
歪曲補正用データｄ１は、ＲＯＭ５のメモリマップの歪曲補正用データ記憶領域に記憶されており（図４参照）、画像処理部６の画像補正部６ａによる歪曲補正の内容と、ズームレンズ部１のレンズタイプ（光学特性）とを対応付けて記憶している。
具体的には、歪曲補正用データｄ１は、ズームレンズ部１の光学ズーム機構の各ズーム段と、当該ズームレンズ部１のレンズタイプ毎に画像補正部６ａによる歪曲補正に用いられる歪曲補正用パラメータ（補正内容）とを対応付けたデータである。例えば、図４に示すように、光学ズーム機構のズーム１段目（広角端）の歪曲補正用パラメータとして、レンズタイプ「０」のレンズ用の「D PARAM Z1,0」と、レンズタイプ「１」のレンズ用の「D PARAM Z1,1」と、レンズタイプ「２」のレンズ用の「D PARAM Z1,2」と、レンズタイプ「３」のレンズ用の「D PARAM Z1,3」とが記憶されている。同様に、光学ズーム機構のズーム２段目の歪曲補正用パラメータとして、レンズタイプ「０」のレンズ用の「D PARAM Z2,0」と、レンズタイプ「１」のレンズ用の「D PARAM Z2,1」と、レンズタイプ「２」のレンズ用の「D PARAM Z2,2」と、レンズタイプ「３」のレンズ用の「D PARAM Z2,3」とが記憶されている。同様に、ズーム３段目以降も望遠端側までそれぞれ対応付けて記憶されているが、図示は省略する。
なお、光学ズーム機構の各ズーム段の歪曲補正用パラメータは、例えば、設計値やレンズサンプルを用いて予め実際に撮影した結果に基づいて規定されている。
【００２９】
拡大用データｄ２は、ＲＯＭ５のメモリマップの拡大用データ記憶領域に記憶されており（図４参照）、画像処理部６の拡大処理部６ｂによる拡大処理の内容と、ズームレンズ部１のレンズタイプ（光学特性）とを対応付けて記憶している。
具体的には、拡大用データｄ２は、ズームレンズ部１の光学ズーム機構の各ズーム段と、当該ズームレンズ部１のレンズタイプ毎に拡大処理部６ｂによる拡大処理に用いられる拡大用パラメータ（拡大処理の割合）とを対応付けたデータである。例えば、図４に示すように、光学ズーム機構のズーム１段目（広角端）の拡大用パラメータとして、レンズタイプ「０」のレンズ用の「E PARAM Z1,0」と、レンズタイプ「１」のレンズ用の「E PARAM Z1,1」と、レンズタイプ「２」のレンズ用の「E PARAM Z1,2」と、レンズタイプ「３」のレンズ用の「E PARAM Z1,3」とが記憶されている。同様に、光学ズーム機構のズーム２段目の拡大用パラメータとして、レンズタイプ「０」のレンズ用の「E PARAM Z2,0」と、レンズタイプ「１」のレンズ用の「E PARAM Z2,1」と、レンズタイプ「２」のレンズ用の「E PARAM Z2,2」と、レンズタイプ「３」のレンズ用の「E PARAM Z2,3」とが記憶されている。同様に、ズーム３段目以降も望遠端側までそれぞれ対応付けて記憶されているが、図示は省略する。
なお、光学ズーム機構の各ズーム段の拡大用パラメータは、例えば、設計値やレンズサンプルを用いて予め実際に撮影した結果に基づいて規定されている。
【００３０】
ここで、広角端の焦点距離に対する歪曲補正の強度及び拡大処理の割合の一例について、図５を参照して説明する。
なお、図５にあっては、広角端の焦点距離の公称値及び設計値に対応する歪曲補正用データｄ１及び拡大用データｄ２の内容の一例を例示する。また、焦点距離の公称値に対して設計値が望遠端側に３％ずれている。
また、歪曲補正用データｄ１に係る歪曲補正用パラメータは、Dis補正値（％）として表し、負の数値が小さい程補正の強度が小さくなっている。また、拡大用データｄ２に係る拡大用パラメータは、拡大率（１００：１倍）として表し、数値が小さい程拡大の割合が小さくなっている。
【００３１】
図５に示すように、光学レンズは、広角端側になるにつれて歪曲収差の度合いが大きくなるため、Dis補正値も同様に広角端側になるにつれて歪曲補正の強度が大きくなっている。また、焦点距離の公称値±５％以内となるレンズタイプ「０」のズームレンズの場合、Dis補正値は焦点距離の公称値に対する１％の誤差毎に規定されている。具体的には、Dis補正値は、「-6.00」、「-6.63」、「-7.27」、「-7.90」、「-8.33」、「-8.77」、「-9.20」、「-9.63」、「-10.07」、「-10.50」と、望遠端側から広角端側になるにつれて歪曲補正の強度が大きくなるように規定されている。
これに対して、レンズタイプ「１」〜「３」のズームレンズは、レンズタイプ「１」に対応するDis補正値は「-5.00」、レンズタイプ「１」に対応するDis補正値は「-4.50」、レンズタイプ「１」に対応するDis補正値は「-4.00」と、各レンズタイプに応じてDis補正値が規定されている。
【００３２】
また、画像データの拡大率は、Dis補正値と同様に、広角端側になるにつれて歪曲補正の強度が大きくなっている。また、画像データの拡大率は、焦点距離の公称値±５％以内のズームレンズとこの範囲外のズームレンズとで異なっており、具体的には、レンズタイプ「０」のズームレンズの拡大率は「103.0」であり、レンズタイプ「１」〜「３」のズームレンズの拡大率は「102.0」となっている。
このように、レンズタイプ「１」〜「３」のズームレンズでは、拡大率が固定されているのに対して、公称値に対する設計値の望遠端側へのずれが大きくなる程Dis補正値が小さくされている。従って、レンズタイプ「１」〜「３」のズームレンズでは、公称値に対する設計値の望遠端側へのずれが大きくなるにつれて、画像処理における画像データの拡大処理の比重が次第に大きく、即ち、歪曲補正の比重が次第に小さくなっている。
【００３３】
ここで、ＲＯＭ５は、画像補正部６ａに係る歪曲補正用パラメータ（補正内容）及び拡大処理部６ｂに係る拡大用パラメータ（拡大処理の割合）と、レンズタイプ（光学特性情報）とを対応付けて記憶する記憶手段を構成している。
【００３４】
また、図５にあっては、公称値に対する設計値のずれの程度や、歪曲補正用パラメータ及び拡大用パラメータの数値等は一例であってこれらに限られるものではなく、適宜任意に変更可能である。
【００３５】
画像処理部６は、ＣＤＳ／ＡＤＣ部３から出力された画像データの記録時に、ＣＰＵ１１から出力された画像データを受け取って、当該画像データに対して各種の画像処理や圧縮等を施してファイル化する。そして、画像処理部６は、ファイル化された画像データを画像記録部９に転送する。
【００３６】
また、画像処理部６は、画像補正部６ａと、拡大処理部６ｂとを具備している。
【００３７】
画像補正部６ａは、ＣＤＳ／ＡＤＣ部３から出力され入力された画像データを、ズームレンズ部１の光学特性と対応付けられたレンズタイプに応じて所定の補正強度で補正する。
即ち、画像補正部６ａは、ＣＤＳ／ＡＤＣ部３から出力され入力された画像データに対して歪曲補正を行うものであり、ＲＯＭ５に記憶されている歪曲補正用データｄ１に基づいて、ズームレンズ部１のレンズタイプ毎に当該歪曲補正の強度（補正内容）をズーム調整用レンズ１ａの光軸方向の位置に応じて可変させる。具体的には、先ず、ＣＰＵ１１は、ユーザによる操作入力部１０のズームボタンの所定操作に基づいて光学ズーム倍率の指定指示に係る所定の操作信号が入力されると、この指定指示に対応する光学ズーム機構のズーム段、即ち、ズーム調整用レンズ１ａの光軸方向の位置を特定する。そして、ＣＰＵ１１は、特定された光学ズーム機構のズーム段及び当該ズームレンズ部１のレンズタイプに基づいて、歪曲補正用データｄ１における対応する歪曲補正用パラメータ（図４参照）をＲＯＭ５から読み出して画像補正部６ａに設定する。そして、画像補正部６ａは、当該歪曲補正用パラメータに応じた強度で画像データに対して歪曲補正を行う（図８（ａ）等参照）。
なお、画像補正部６ａは、ズームレンズ部１のレンズタイプ毎にズーム調整用レンズ１ａの光軸方向の位置（ズーム段）に応じて歪曲補正の強度を可変させて施すようにしたが、これに限られるものではなく、少なくともズーム調整用レンズ１ａが特定の位置、例えば、広角端に対応する位置にある場合に、ズームレンズ部１のレンズタイプ（光学特性）に応じて歪曲補正の強度を可変させて施すようにすれば良い。
【００３８】
ここで、画像補正部６ａは、ズーム調整用レンズ１ａの移動に基づく光学像の歪みに関連するズームレンズ部１の光学特性情報（レンズタイプ）に従って、当該ズーム調整用レンズ１ａが特定の位置にある場合に電子撮像部２から出力される画像データを補正する補正手段を構成している。
また、画像補正部６ａ及びＣＰＵ１１は、補正手段として、レンズタイプに基づいて、ズーム調整用レンズ１ａが特定の位置にある場合の補正内容をＲＯＭ５から読み出す。なお、画像補正部６ａは、ＣＰＵ１１とは独立して、光学ズーム機構のズーム段及びズームレンズ部１のレンズタイプに基づいて、歪曲補正用データｄ１における対応する歪曲補正用パラメータをＲＯＭ５から読み出す処理を行っても良い。
【００３９】
拡大処理部６ｂは、ＣＤＳ／ＡＤＣ部３から出力され入力された画像データを、ズームレンズ部１の光学特性と対応付けられたレンズタイプに応じて所定の割合で拡大する。
即ち、拡大処理部６ｂは、ＣＤＳ／ＡＤＣ部３から出力され入力された画像データを所定位置（例えば、画像の略中心）を基準として所定の割合で切り出した後、切り出した部分全体を所定の比率で（略均等に）拡大するものであり、ＲＯＭ５に記憶されている拡大用データｄ２に基づいて、ズームレンズ部１のレンズタイプ毎に当該拡大処理の割合をズーム調整用レンズ１ａの光軸方向の位置に応じて可変させる。具体的には、先ず、ＣＰＵ１１は、ユーザによる操作入力部１０のズームボタンの所定操作に基づいて光学ズーム倍率の指定指示に係る所定の操作信号が入力されると、この指定指示に対応する光学ズーム機構のズーム段、即ち、ズーム調整用レンズ１ａの光軸方向の位置を特定する。そして、ＣＰＵ１１は、特定された光学ズーム機構のズーム段及び当該ズームレンズ部１のレンズタイプに基づいて、拡大用データｄ２における対応する拡大用パラメータ（図４参照）をＲＯＭ５から読み出して拡大処理部６ｂに設定する。そして、拡大処理部６ｂは、当該拡大用パラメータに応じた割合で画像データを切り出した後、切り出した部分を拡大する処理を行う（図８（ａ）等参照）。
なお、拡大処理部６ｂは、ズームレンズ部１のレンズタイプ毎にズーム調整用レンズ１ａの光軸方向の位置（ズーム段）に応じて拡大処理の割合を可変させるようにしたが、これに限られるものではなく、少なくともズーム調整用レンズ１ａが特定の位置、例えば、広角端に対応する位置にある場合に、ズームレンズ部１のレンズタイプ（光学特性）に応じて拡大処理の割合を可変させるようにすれば良い。
【００４０】
ここで、拡大処理部６ｂは、ズーム調整用レンズ１ａの移動に基づく光学像の歪みに関連するズームレンズ部１の光学特性情報（レンズタイプ）に従って、当該ズーム調整用レンズ１ａが特定の位置にある場合に電子撮像部２から出力される画像データを所定の割合で拡大処理する拡大処理手段を構成している。
また、拡大処理部６ｂ及びＣＰＵ１１は、拡大処理手段として、レンズタイプに基づいて、ズーム調整用レンズ１ａが特定の位置にある場合の拡大処理の割合をＲＯＭ５から読み出す。なお、拡大処理部６ｂは、ＣＰＵ１１とは独立して、光学ズーム機構のズーム段及びズームレンズ部１のレンズタイプに基づいて、拡大用データｄ２における対応する拡大用パラメータをＲＯＭ５から読み出す処理を行っても良い。
【００４１】
また、画像処理部６は、出力手段として、画像補正部６ａによる歪曲補正及び拡大処理部６ｂによる拡大処理が施された画像データを処理済み画像としてＣＰＵ１１に出力する。
【００４２】
表示制御部７は、メモリ４に一時的に記憶されている表示用の画像データを読み出して表示部８に表示させる制御を行う。
具体的には、表示制御部７は、ＶＲＡＭ、ＶＲＡＭコントローラ、デジタルビデオエンコーダなどを備えている（何れも図示略）。そして、デジタルビデオエンコーダは、ＣＰＵ１１の制御下にてメモリ４から読み出されてＶＲＡＭに記録されている輝度信号Ｙ及び色差信号Ｃｂ，Ｃｒを、ＶＲＡＭコントローラを介してＶＲＡＭから定期的に読み出して、これらのデータを元にビデオ信号を発生して表示部８に出力する。
【００４３】
表示部８は、例えば、液晶表示装置であり、表示制御部７からのビデオ信号に基づいて電子撮像部２により撮像された画像などを表示画面に表示する。具体的には、表示部８は、静止画撮像モードや動画撮像モードにて、電子撮像部２による被写体の撮像により生成された複数の画像フレームを所定のフレームレートで逐次更新しながらライブビュー画像を表示する。
【００４４】
画像記録部９は、例えば、不揮発性メモリ等により構成され、画像処理部６の符号化部（図示略）により所定の圧縮形式で符号化された記録用の静止画像データや複数の画像フレームからなる動画像データを記録する。
【００４５】
操作入力部１０は、当該撮像装置１００の所定操作を行うためのものである。具体的には、操作入力部１０は、被写体の撮像指示に係るシャッタボタン、撮像モードや機能等の選択指示に係る選択決定用ボタン、ズーム量の調整指示に係るズームボタン等を備え（何れも図示略）、これらのボタンの操作に応じて所定の操作信号をＣＰＵ１１に出力する。
【００４６】
ＣＰＵ１１は、撮像装置１００の各部を制御するものである。具体的には、ＣＰＵ１１は、ＲＯＭ５から読み出された撮像装置１００用の各種処理プログラム（図示略）に従って各種の制御動作を行う。
【００４７】
次に、撮像装置１００によるメモリ書き込み処理について、図７を参照して説明する。
図６は、メモリ書き込み処理に係る動作の一例を示すフローチャートである。
【００４８】
メモリ書き込み処理は、撮像装置１００の電源が投入された際に実行される処理である。
図６に示すように、撮像装置１００の電源が投入されると、ＣＰＵ１１は、先ず、メモリ４のＲＡＭ４ａに対するアクセスを可能としたり、所定の初期値を書き込むなどの初期化を実行する（ステップＳ１）。
【００４９】
その後、ＣＰＵ１１は、メモリ４のフラッシュメモリ４ｂに書き込まれているレンズタイプ、即ち、当該撮像装置１００に組み付けられたレンズのレンズタイプに関する情報を読み出して（ステップＳ２）、当該レンズタイプが正常であるか否かを判定する（ステップＳ３）。即ち、ＣＰＵ１１は、レンズタイプが画像の歪曲補正や拡大処理にて対応可能な光学性能を具備するタイプ（例えば、レンズタイプ「０」〜「３」等）であるか否かを判定する。
そして、ステップＳ３にて、レンズタイプが正常であると判定されると（ステップＳ３；ＹＥＳ）、ＣＰＵ１１は、読み出されたレンズタイプに関する情報をＲＡＭ４ａのメモリマップの所定のレンズタイプ記憶領域に書き込んで（ステップＳ４）、メモリ書き込み処理を終了する。
【００５０】
一方、ステップＳ３にて、レンズタイプが正常でないと判定されると（ステップＳ３；ＮＯ）、ＣＰＵ１１は、レンズタイプが異常である旨のエラー表示を実行させる指示を表示制御部７に出力して、表示制御部７は、所定のエラー表示を表示部８に表示させる（ステップＳ５）。その後、ＣＰＵ１１は、念のため、レンズタイプ「０」に関する情報をＲＡＭ４ａのメモリマップの所定のレンズタイプ記憶領域に書き込んで（ステップＳ６）、メモリ書き込み処理を終了する。
【００５１】
次に、撮像装置１００による画質調整処理について、図７及び図８を参照して説明する。
図７は、画質調整処理に係る動作の一例を示すフローチャートである。
【００５２】
画質調整処理は、撮像装置１００の電源が投入されてメモリ書き込み処理が行われた後に実行される処理である。
図７に示すように、ＣＰＵ１１は、先ず、歪曲補正用パラメータ及び課題用パラメータを初期化する（ステップＳ２１）。具体的には、ＣＰＵ１１は、ズームレンズ部１の光学ズーム機構のズーム段（即ち、ズーム調整用レンズ１ａの光軸方向の位置）を特定するとともに、メモリ書き込み処理でＲＡＭ４ａに書き込まれたズームレンズ部１のレンズタイプを読み出す。そして、ＣＰＵ１１は、特定された光学ズーム機構のズーム段及び読み出されたズームレンズ部１のレンズタイプに基づいて、歪曲補正用データｄ１における対応する歪曲補正用パラメータ（図４参照）を特定するとともに、拡大用データｄ２における対応する拡大用パラメータ（図４参照）を特定する。
【００５３】
次に、ＣＰＵ１１は、ライブビュー画像や記録画像の撮像の際などに、光学ズーム倍率、即ち、光学ズーム機構のズーム段が変更されたか否かを判定する（ステップＳ２２）。具体的には、ＣＰＵ１１は、ユーザによる操作入力部１０のズームボタンの所定操作に基づいて、光学ズーム倍率の指定指示に係る所定の操作信号が入力されたか否かに応じて、光学ズーム倍率が変更されたか否かを判定する。
【００５４】
そして、ステップＳ２２にて、光学ズーム倍率が変更されたと判定されると（ステップＳ２２；ＹＥＳ）、ＣＰＵ１１は、ズームレンズ部１のレンズタイプに基づいて、対応する歪曲補正用パラメータ（図４参照）を読み出して当該パラメータに変更する（ステップＳ２３）。具体的には、ＣＰＵ１１は、ユーザにより指定指示された光学ズーム倍率、即ち、光学ズーム機構のズーム段及び当該ズームレンズ部１のレンズタイプに基づいて、歪曲補正用データｄ１における対応する歪曲補正用パラメータ（図４参照）をＲＯＭ５から読み出して当該パラメータに変更する。
次に、ＣＰＵ１１は、ズームレンズ部１のレンズタイプに基づいて、対応する拡大用パラメータ（図４参照）を読み出して当該パラメータに変更する（ステップＳ２４）。具体的には、ＣＰＵ１１は、ユーザにより指定指示された光学ズーム倍率、即ち、光学ズーム機構のズーム段及び当該ズームレンズ部１のレンズタイプに基づいて、拡大用データｄ２における対応する拡大用パラメータ（図４参照）をＲＯＭ５から読み出して当該パラメータに変更する。
【００５５】
続けて、ＣＰＵ１１は、変更された歪曲補正用パラメータ（図４参照）を画像処理部６の画像補正部６ａに設定するとともに（ステップＳ２５）、変更された拡大用パラメータ（図４参照）を画像処理部６の拡大処理部６ｂに設定する（ステップＳ２６）。
また、ステップＳ２２にて、光学ズーム倍率が変更されていないと判定された場合にも（ステップＳ２２；ＮＯ）、ＣＰＵ１１は、処理をステップＳ２５に移行して、上記と同様に、ステップＳ２１にて特定された歪曲補正用パラメータ及び拡大用パラメータの設定を行う。
【００５６】
なお、ＣＰＵ１１による歪曲補正用パラメータの変更後（ステップＳ２３）、拡大用パラメータの変更処理（ステップＳ２４）を行うようにしたが、処理の順序はこれに限られるものではなく、これらの処理の順序は逆であっても良い。
また、ＣＰＵ１１による歪曲補正用パラメータの画像補正部６ａに対する設定後（ステップＳ２５）、拡大用パラメータの拡大処理部６ｂに対する設定処理（ステップＳ２６）を行うようにしたが、処理の順序はこれに限られるものではなく、これらの処理の順序は逆であっても良い。
【００５７】
そして、画像処理部６の画像補正部６ａ及び拡大処理部６ｂは、歪曲補正用パラメータ及び拡大用パラメータに基づいて、処理対象画像に対する画質調整を行う（ステップＳ２７）。具体的には、画像補正部６ａは、歪曲補正用パラメータに応じた強度で画像データに対して歪曲補正を行うとともに、拡大用パラメータに応じた割合で画像データを切り出した後、切り出した部分を拡大する処理を行う（図８（ａ）等参照）。
例えば、ズームレンズ部１がレンズタイプ「０」のレンズである場合、画像補正部６ａは、レンズタイプ「１」に比して相対的に強い補正強度（補正度合：大）で画像データに対して歪曲補正を行うとともに、レンズタイプ「１」に比して相対的に大きい拡大率で画像データを切り出した後、切り出した部分を拡大する処理を行う（図８（ａ）参照）。また、ズームレンズ部１がレンズタイプ「１」のレンズである場合、当該レンズの焦点距離の設計値が望遠側にずれているため、歪曲収差もより小さくなるとともに画角も狭くなることから、画像補正部６ａは、レンズタイプ「０」に比して相対的に弱い補正強度（補正度合：小）で画像データに対して歪曲補正を行うとともに、レンズタイプ「１」に比して相対的に小さい拡大率で画像データを切り出した後、切り出した部分を拡大する処理を行う（図８（ｂ）参照）。
【００５８】
その後、画像処理部６は、画像補正部６ａによる歪曲補正及び拡大処理部６ｂによる拡大処理が施された画像データを処理済み画像としてＣＰＵ１１に出力した後（ステップＳ２８）、ＣＰＵ１１は、処理をステップＳ２２に移行して、それ以降の処理を繰り返す。
【００５９】
以上のように、本実施形態の撮像装置１００によれば、ズーム調整用レンズ１ａが広角端に対応する位置にある場合に、ズーム調整用レンズ１ａの移動に基づく光学像の歪みに関連するレンズタイプ（光学特性情報）を基準として、画像データに対する歪曲補正処理及び所定の割合で拡大する処理を行うので、ズームレンズ部１の光学ズーム機構の複数のズーム段の中で、画像データに対する歪曲補正処理及び所定の割合で拡大する処理を行うズーム段を制限することができ、光学ズーム機構の複数のズーム段の全てで画像処理を行う場合に比べて歪曲補正にかかる処理負担を軽減させることができる。特に、異なるレンズタイプのズームレンズ部１にて、公称値に対する設計値の望遠端側へのずれが大きくなるにつれて、画像処理における画像データの拡大処理の比重を次第に大きく、即ち、歪曲補正の比重を次第に小さくすることで、当該歪曲補正にかかる処理負担をさらに軽減させることができる。
また、比較的画角が広くなる光学ズーム倍率にて画像データを所定の割合で切り出して拡大する処理を行うことで、撮像される画像の構図に対する影響を小さくすることができる。即ち、画角が最も広い広角端（焦点距離が最短）側で画像データの拡大率を最も大きくし、且つ、画角が狭くなる望遠側となる（焦点距離が長くなる）程、画像データの拡大率を小さくしていくことで、画像の構図に対する影響をより小さくしていくことができる。
さらに、装置本体に組み付けられるレンズによって周辺ボケやケラレ等が発生しても、画像処理部６による歪曲補正や拡大処理などで対応することができ、光学性能が不良のズームレンズとすることがなくなって当該撮像装置１００の生産性を向上させることができる。
【００６０】
また、画像補正部６ａによる歪曲補正の内容及び拡大処理部６ｂによる拡大処理の割合のうち、少なくとも何れか一方と、ズームレンズ部１のレンズタイプとを対応付けて記憶しているので、当該撮像装置１００本体に取り付けられるズームレンズ部１のレンズタイプに応じて、画像データに対する歪曲補正処理及び拡大処理の所定の割合を設定することができる。
即ち、ＣＰＵ１１は、ズームレンズ部１のレンズタイプに基づいて、ズーム調整用レンズ１ａが広角端に対応する位置にある場合の歪曲補正用パラメータを読み出して画像補正部６ａに設定することができるとともに、当該レンズタイプに基づいて、ズーム調整用レンズ１ａが広角端に対応する位置にある場合の拡大用パラメータを読み出して拡大処理部６ｂに設定することができる。そして、画像補正部６ａは、設定された歪曲補正用パラメータに応じた強度で画像データに対して歪曲補正を行うことができるとともに、拡大処理部６ｂは、設定された拡大用パラメータに応じた割合で画像データを切り出した後、切り出した部分を拡大する処理を行うことができる。
これにより、焦点距離の公称値に対して設計値が望遠端側にずれているズームレンズ、即ち、広角端の焦点距離に対する許容範囲（例えば、焦点距離の公称値±５％）外のレンズタイプ「１」〜「３」のズームレンズであっても、当該撮像装置１００本体に取り付けられるズームレンズ部１のレンズタイプ毎に、画像データに対する歪曲補正処理及び所定の割合で拡大する処理をそれぞれ行うことができ、光学性能が不良のズームレンズとすることがなくなって当該撮像装置１００の生産性を向上させることができる。
【００６１】
なお、本発明は、上記実施形態に限定されることなく、本発明の趣旨を逸脱しない範囲において、種々の改良並びに設計の変更を行っても良い。
例えば、レンズ製造と撮像装置１００の製造とが異なる業者や場所で行われる場合に、画質調整システム３００によって、納品されたレンズを装置本体に組み付ける際に、当該レンズと対応付けられているレンズタイプに関する情報を設定装置２００（後述）により読み取って、撮像装置１００のＣＰＵ１１に、当該レンズタイプに対応する歪曲補正用パラメータを設定させるとともに、当該レンズタイプに対応する拡大用パラメータを設定させるようにしても良い（図９参照）。
【００６２】
画質調整システム３００は、図９に示すように、撮像装置１００と、この撮像装置１００と接続される設定装置２００とを備えている。設定装置２００は、例えば、撮像装置１００の製造工場などに設置されるものであり、レンズタイプ読取部２０１と、処理内容設定部２０２と、外部通信部２０３とを備え、この外部通信部２０３を介して撮像装置１００の外部通信部１２と接続されている。
なお、図９にあっては、撮像装置１００を模式的に表しており、外部通信部１２を備える以外の構成は、上記実施形態と略同様であるので、その詳細な説明は省略する。
【００６３】
レンズタイプ読取部２０１は、例えば、スキャナなどにより構成され、納品されるズームレンズと対応付けられたレンズタイプに関する情報を読み取る。
例えば、ズームレンズ製造の際に特定されたレンズタイプに関する情報が、バーコード（一次元コード）や二次元コードなどの形態に変換されて所定の情報記録媒体（図示略）に印刷されたものがズームレンズとともに納品される。そして、レンズタイプ読取部２０１は、所定の情報記録媒体からレンズタイプに関する情報を光学的に読み取って取得する。
ここで、レンズタイプ読取部２０１は、情報記録媒体からズームレンズと対応付けられたレンズタイプに関する記録情報を読み取るための読取手段を構成している。
【００６４】
処理内容設定部２０２は、外部通信部２０３を介してレンズタイプに関する情報を撮像装置１００に送信して、ＲＯＭ５から読み出すべき歪曲補正用パラメータや拡大用パラメータを設定させる。
具体的には、処理内容設定部２０２は、外部通信部２０３（例えば、通信コネクタ等）と撮像装置１００の外部通信部１２（例えば、対応する通信コネクタ等）とが所定の通信回線（図示略）を介して通信可能に接続された状態で、レンズタイプ読取部２０１により読み取られたレンズタイプに関する情報を外部通信部２０３を介して撮像装置１００に送信し、撮像装置１００のＣＰＵ１１に、歪曲補正用データｄ１のうち、当該レンズタイプに対応する歪曲補正用パラメータ（図４参照）を設定させるとともに、拡大用データｄ２のうち、当該レンズタイプに対応する拡大用パラメータ（図４参照）を設定させる。
その後、撮像装置１００のＣＰＵ１１は、設定された歪曲補正用パラメータ（図４参照）を読み出して画像補正部６ａに設定するとともに、設定された拡大用パラメータ（図４参照）を読み出して拡大処理部６ｂに設定する。
【００６５】
これにより、撮像装置１００にあっては、画像補正部６ａは、設定された歪曲補正用パラメータに応じた強度で画像データに対して歪曲補正を行うことができるとともに、拡大処理部６ｂは、設定された拡大用パラメータに応じた割合で画像データを切り出した後、切り出した部分を拡大する処理を行うことができる。
従って、上記実施形態と同様に、当該撮像装置１００本体に取り付けられるズームレンズ部１のレンズタイプ毎に、画像データに対する歪曲補正処理及び所定の割合で拡大する処理をそれぞれ行うことができ、焦点距離の公称値に対して設計値が望遠端側にずれているズームレンズであっても当該撮像装置１００の生産性を向上させることができる。
さらに、ズームレンズ部１のレンズタイプのＲＡＭ４ａに対する書き込み処理を、電源投入の際のメモリ書き込み処理にて行う必要がなくなり、当該撮像装置１００の起動時間を減少させてより使い勝手のよい撮像装置１００を提供することができる。
【００６６】
なお、上記画質調整システム３００にあっては、レンズタイプに関する情報に基づいて、ＲＯＭ５から読み出すべき歪曲補正用パラメータや拡大用パラメータを設定するようにしたが、これに限られるものではなく、レンズタイプに関する情報を、撮像装置１００のＣＰＵ１１の制御下にて、フラッシュメモリ４ｂのメモリマップの所定のレンズタイプ記憶領域に書き込ませるようにしても良い。この場合には、上記実施形態と同様に、撮像装置１００のＣＰＵ１１は、レンズタイプに関する情報をＲＡＭ４ａに書き込んだ後、当該レンズタイプに対応する歪曲補正用パラメータや拡大用パラメータをＲＯＭ５から読み出すようになっている。
また、レンズタイプに関する情報の代わりに設計値に関する情報を、例えば、バーコード（一次元コード）や二次元コードなどの形態に変換して所定の記録媒体に印刷しておいても良く、所定の読取装置（図示略）を用いて設計値に関する情報を光学的に読み取って、複数のレンズタイプの中で当該設計値に基づいてレンズタイプを特定した後、特定されたレンズタイプをレンズタイプ記憶領域に書き込ませるようにしても良い。
【００６７】
さらに、上記実施形態にあっては、ズームレンズ部１を撮像装置１００本体に対して着脱自在に構成しても良い。この場合には、例えば、ズームレンズ部１内の記憶手段（図示略）にズーム調整用レンズ１ａの移動に基づく光学像の歪みに関連する光学特性情報（レンズタイプ）を記憶しておく。そして、当該ズームレンズ部１が装置本体のマウント（図示略）に取り付けられた状態で、ＣＰＵ１１は、マウントの信号接点を介してフラッシュメモリ４ｂのメモリマップのレンズタイプ記憶領域に書き込むようにしても良いし、或いは、歪曲補正用データｄ１のうち、当該レンズタイプに対応する歪曲補正用パラメータを設定するとともに、拡大用データｄ２のうち、当該レンズタイプに対応する拡大用パラメータを設定するようにしても良い。
これにより、交換レンズによっては周辺ボケやケラレ等が発生しても、画像処理部６による歪曲補正や拡大処理などで対応することができ、光学性能が不良の交換レンズとすることがなくなる。
【００６８】
また、上記実施形態にあっては、画像補正部６ａによる歪曲補正及び拡大処理部６ｂによる拡大処理の比率をズーム調整用レンズ１ａの光軸方向のレンズ位置に応じて可変するようにしても良い。このとき、画像補正部６ａによる歪曲補正と拡大処理部６ｂによる拡大処理との比率は、０〜１００の間で可変となっており、上記実施形態のように、画像処理部６の処理対象画像に対して、画像補正部６ａによる歪曲補正及び拡大処理部６ｂによる拡大処理の両方を行うようにしても良いし、何れか一方の処理を施すようにしても良い。
例えば、レンズの焦点距離の設計値が公称値に対して望遠側にずれていくと、歪曲収差もより小さくなるとともに画角も狭くなることから、拡大処理部６ｂによる拡大処理を行うだけで歪曲補正を行わなくとも比較的歪みの少ない画像を得ることができるため、拡大処理部６ｂによる拡大処理の比率を画像補正部６ａによる歪曲補正に対して大きくする。一方、レンズの焦点距離の設計値が公称値に対して広角側にずれる場合には、公称値に比べてより広い画角を確保することができることから、拡大処理部６ｂによる拡大処理で対応するよりも画像補正部６ａによる歪曲補正で対応する方が良い場合もあると考えられるため、画像補正部６ａによる歪曲補正の比率を拡大処理部６ｂによる拡大処理に対して大きくする。
なお、画像補正部６ａによる歪曲補正及び拡大処理部６ｂによる拡大処理のうち、何れか一方の処理を施す場合にあっては、ＲＯＭ５には、画像処理部６による画質調整処理にて用いられる歪曲補正用パラメータ及び拡大用パラメータのうち、何れか一方を記憶しておれば良い。
【００６９】
また、撮像装置１００の構成は、上記実施形態に例示したものは一例であり、これに限られるものではない。
【００７０】
加えて、上記実施形態にあっては、補正手段、拡大処理手段、出力手段としての機能を、ＣＰＵ１１の制御下にて、画像処理部６が駆動することにより実現される構成としたが、これに限られるものではなく、ＣＰＵ１１によって所定のプログラム等が実行されることにより実現される構成としても良い。
即ち、プログラムを記憶するプログラムメモリ（図示略）に、補正処理ルーチン、拡大処理ルーチン、出力制御処理ルーチンを含むプログラムを記憶しておく。そして、補正処理ルーチンによりＣＰＵ１１を、光学素子の移動に基づく光学像の歪みに関連する光学特性情報に従って、当該光学素子が特定の位置にある場合に電子撮像部２から出力される画像情報を補正する補正手段として機能させるようにしても良い。また、拡大処理ルーチンによりＣＰＵ１１を、光学特性情報に従って、光学素子が特定の位置にある場合に電子撮像部２から出力される画像情報を所定の割合で拡大処理する拡大処理手段として機能させるようにしても良い。また、出力制御処理ルーチンによりＣＰＵ１１を、補正手段による補正及び拡大処理手段による拡大処理のうち、少なくとも何れか一方が施された画像情報を処理済み画像として出力する出力制御手段として機能させるようにしても良い。
【００７１】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【符号の説明】
【００７２】
１００  撮像装置
１      ズームレンズ部
１ａ    ズーム調整用レンズ
２      電子撮像部
３      ＣＤＳ／ＡＤＣ部
５      ＲＯＭ
６      画像処理部
６ａ    画像補正部
６ｂ    拡大処理部
１１    ＣＰＵ
２００  設定装置
２０１  レンズタイプ読取部
２０２  処理内容設定部
３００  画質調整システム
ｄ１    歪曲補正用データ
ｄ２    拡大用データ
【図１】
0005531666.tif 000002
【図２】
0005531666.tif 000003
【図３】
0005531666.tif 000004
【図４】
0005531666.tif 000005
【図５】
0005531666.tif 000006
【図６】
0005531666.tif 000007
【図７】
0005531666.tif 000008
【図８】
0005531666.tif 000009
【図９】
0005531666.tif 000010